(57)【要約】弦楽器のネック部に設けた凹部に収容され、底板部１１および同底板部１１の両側から立ち上がって互いに相対向する一対の側板部１２を備えたバー１０と、一端部がこのバー１０の一端部に固定されるとともに、他端部がバー１０の他端部に回転自在に支持された調整ナット３０に螺合された調整ロッド２０とを備え、調整ナット３０を回転させることで調整ロッド２０の一端部と調整ナット３０との距離を変更するようにした弦楽器ネック部の変歪矯正装置である。バー１０の両端部で側板部１２に第１支持具４０および第２支持具５０を固定し、第１支持具４０によって調整ロッド２０の一端部を軸方向への移動を阻止した状態で支持し、第２支持具５０によって調整ナット３０を回転自在に支持した。
2002093545.tif 000002
【特許請求の範囲】
【請求項１】
弦楽器のネック部に設けた凹部に収容され、底板部および同底板部の両側から立ち上がって互いに相対向する一対の側板部を備えたバーと、一端部がこのバーの一端部に固定されるとともに、他端部が上記バーの他端部に回転自在に支持された調整ナットに螺合された調整ロッドとを備え、上記調整ナットを回転させることで上記調整ロッドの上記一端部と上記調整ナットとの距離を変更するようにした弦楽器ネック部の変歪矯正装置において、
上記バーの両端部で上記側板部に第１支持具および第２支持具を固定し、上記第１支持具によって上記調整ロッドの一端部を軸方向への移動を阻止した状態で支持し、上記第２支持具によって上記調整ナットを回転自在に支持したことを特徴とする弦楽器ネック部の変歪矯正装置。
【請求項２】
前記第１、第２支持具は、前記側板部に形成した凹部に嵌合する凸部を備え、上記第１支持具は、前記調整ロッドの一端部外周に設けた周縁溝に軸方向で係合し、上記第２支持具は、前記調整ナットの外周に設けた周縁溝に軸方向で係合していることを特徴とする請求項１に記載の弦楽器ネック部の変歪矯正装置。
【請求項３】
前記凹部の前記底板部からの距離は、互いにほぼ等しいことを特徴とする請求項２に記載の弦楽器ネック部の変歪矯正装置。
【請求項４】
前記調整ロッドの先端面は、断面非円形の回止め凸部を備え、前記バーの底板部および側板部は、金属板を板金加工して一体成形されたものであり、上記底板部の先端縁に、同底板部に対して折り曲げることによって上記回止め凸部に嵌合する回止め凹部を備えた回止め板部を設けたことを特徴とする請求項１〜３のいずれかに記載の弦楽器ネック部の変歪矯正装置。
【請求項５】
前記回止め凹部と前記回止め凸部との間と、前記第１支持具と前記調整ロッドおよび底板部との間に、上記調整ロッドの軸方向と直交する方向への移動を許容する隙間を設けたことを特徴とする請求項４に記載の弦楽器ネック部の変歪矯正装置。
【発明の詳細な説明】
発  明  の  背  景
１．技術分野
本発明は、ギターなどの弦楽器のネック部に用いる変歪矯正装置に係り、特に、ネック部が弦に対して凹状に変歪する上反りと凸状に変歪する下反りとを矯正するようにした変歪矯正装置に関する。
２．背景技術
ギター等の弦楽器では、ボディ部に設けられたブリッジ部と、ネック部先端のヘッドに設けられた糸巻具との間に弦を張るため、弦を張ったまま放置したりすると弦の張力によってネック部が凹状に変歪することがある。ネック部が下反りすると、弦高が高くなって演奏がし難くなるとともに、弦を押さえたときに弦の張力が増加していわゆるフレット音痴が生じる。ネック部が下反りしたときの変歪矯正装置としては、従来より種々の提案がなされている。たとえば、実開昭６２−１４６１９５号公報には、中央部分が断面コ字状とされたバーの内部に調整ロッドを配置し、バーから突出した調整ロッドの一端部と、バーの他端部側で調整ロッドの他端部に螺合させた調整ナットとにより、バーを挟み込む構成のものが開示されている。この変歪矯正装置は、ネック部に形成した溝と指板との間に設けられた閉塞された空間に収容される。そして、ネック部が下反りしたときには、調整ナットを締め付けることでバーを上反りの方向へ反り返し、これによってネック部の下反りを矯正するようになっている。
また、ギターでは、ネック部を予め僅かに凸状に上反りさせておき、弦を張ったときにその張力によってネック部が歪んで弦と平行になるようにしているものもある。このため、ネック部の材料のシーズニングの良否あるいはギター製造後の環境の変化等により、ネック部の上反りが大きくなり、弦を張ったときに凸状の変歪が残ることがある。これが上反りであり、ネック部の上反りが生じると、演奏中に押さえた弦がフレットに接触してびびりが生じたり演奏不能となることもある。
本出願人が特許第２７３６８６０号に開示した変歪矯正装置では、ネック部の下反りと上反りを矯正できるようになっている。この変歪矯正装置は、断面コ字状のバーの一端底部に調整ロッドの一端部を固定し、バーの他端部に、調整ロッドの他端部に螺合させた調整ナットを回転自在に支持したものである。この変歪矯正装置では、調整ナットを締め付けると調整ナットと調整ロッドの固定端とが接近し、バーがネック部の下反り方向と逆方向に反り返る。これによりネック部の下反りが矯正される。また、調整ナットを緩める方向に回転させると、調整ナットと調整ロッドの固定端との距離が増加し、バーがネック部の上反り方向と逆方向に反り返る。これによりネック部の上反りが矯正される。
ところで、特許第２７３６８６０号では、ネック部の変歪中心に位置するように調整ロッドに押圧子を設け、変歪を矯正する際に、押圧子がバーを押圧することでネック部の変歪を効果的に矯正するようにしている。
しかしながら、上記の変歪矯正装置では、押圧子を用いているにも拘わらずバーを反り返らせたときにバーの曲率が適正となり難く、調整ロッドを固定している先端部においてバーの反り返りが不充分になることが判明している。また、ギターによっては、調整ナットをヘッドに収容するものやネックのボディ部側の基部に収容したものがあり、いずれを採用するかは、ギターメーカや機種によって異なっている。特に、調整ナットをネックの基部側に収容したギターでは、ネック部の剛性を確保するためにバーをネック部の先端部まで延在させていないことがあり、そのような場合にネック部の先端部の変歪矯正を適正に行うことが難しいという改善すべき点があった。
本発明は、変歪を矯正する際のバーの曲率を適正にすることができ、変歪の矯正を正確に行うことができる弦楽器ネック部の変歪矯正装置を提供することを目的としている。
発  明  の  概  要
本発明の弦楽器ネック部の変歪矯正装置は、弦楽器のネック部に設けた凹部に収容され、底板部および同底板部の両側から立ち上がって互いに相対向する一対の側板部を備えたバーと、一端部がこのバーの一端部に固定されるとともに、他端部がバーの他端部に回転自在に支持された調整ナットに螺合された調整ロッドとを備え、調整ナットを回転させることで調整ロッドの一端部と調整ナットとの距離を変更するようにした弦楽器ネック部の変歪矯正装置において、バーの両端部で側板部に第１支持具および第２支持具を固定し、第１支持具によって調整ロッドの一端部を軸方向への移動を阻止した状態で支持し、第２支持具によって調整ナットを回転自在に支持したことを特徴としている。
上記構成の弦楽器ネック部の変歪矯正装置（以下、単に変歪矯正装置と略称する）にあっては、調整ナットを回転させることで第１、第２支持具どうしの距離が変更され、第１、第２支持具が固定された側板部が長手方向に向かって伸長または収縮する。一方、底板部の長さは変化しないから、側板部の長さが変化することにより底板部の両端部に曲げモーメントが生じ、この曲げモーメントによって底板部を含むバー全体が反り返る。この場合において、底板部の両端部に生じる曲げモーメントの作用点は、いずれも第１、第２支持具における調整ロッドおよび調整ナットの支持部分であるから、２つの曲げモーメントの大きさはほぼ等しくなる。したがって、底板部にほぼ均一な曲率を与えることができ、変歪の矯正を正確に行うことができる。
ここで、第１、第２支持具は、それらを側板部どうしの間に嵌合させて溶接により固定することができる。しかしながら、溶接のみによる固定では固定強度が不充分であるため、第１、第２支持具は、側板部に形成した凹部に嵌合する凸部を備えることが望ましい。また、凸部を凹部に嵌合させた状態で、両者を溶接するとさらに好適である。また、第１支持具が調整ロッドの一端部外周に設けた周縁溝に軸方向で係合し、第２支持具が調整ナットの外周に設けた周縁溝に軸方向で係合するように構成することにより、調整ロッドおよび調整ナットを第１、第２支持具に強固に支持することができる。また、調整ロッドの両端部に設ける凹部の底板部からの距離を互いにほぼ等しくすることにより、調整ロッドの両端部に作用する曲げモーメントを等しくすることができる。
本発明では、調整ナットを回転させて調整ロッドに対して相対的に移動させる構成であるから、調整ロッドが回転しないように固定する必要がある。この場合、調整ロッドを第１支持具に溶接することもできるが、以下の構成を採用することにより、調整ロッドの回止めを簡単かつ低廉に行うことができる。
すなわち、調整ロッドの先端面に断面非円形の回止め凸部を備え、底板部の先端縁に、同底板部に対して折り曲げることによって回止め凸部に嵌合する回止め凹部を備えた回止め板部を設ける。回止め凸部の断面は円形でなければ任意であり、円の一側または両側を切り欠いた形状や多角形状などがある。また、回止め板部が板金加工によって折り曲げられるから、バーの底板部および側板部も金属板を板金加工して一体成形すれば、製造コストをさらに低減することができる。
調整ロッドを第１支持具に溶接せずに上記のようにして回止めすることにより、回止め凸部と回止め凹部との隙間分だけ調整ロッドが軸方向と直交する方向へ移動可能となる。このことは、バーが反り返る方向を一定にしたり均一な曲率を与えるために重要である。すなわち、調整ロッドが第１支持具に溶接されていると、製造誤差や組立誤差等により調整ロッドの中心と調整ナットの中心にずれが生じることがある。そのような状態で調整ナットを回転させると、調整ロッドに曲げモーメントが作用し、その曲げモーメントがバーに作用してしまう。
したがって、調整ロッドの先端部を溶接等により強固に固定することは望ましくなく、調整ロッドがバーに対してその軸方向と直交する方向へ移動することができるように隙間を設けるのが良い。この隙間は、調整ロッドが底板部に対して接近離間する方向（上下方向）の両側に０．２〜０．４ｍｍづづ設け、その方向と直交する方向（左右方向）の両側に０．１〜０．３ｍｍづつ設けると好適である。調整ロッドの上記方向への移動を許容しかつ制限する隙間は、回止め凹部と回止め凸部と、調整ロッドと第１支持具およびバーの底板部等の部材どうしの間に設けられる。そのような隙間は、調整ナットと第２支持具および底板部との間に設けるとさらに好適である。
発明を実施するための最良の形態
Ａ．実施形態の構成
本発明の実施の形態について第１図〜第５図を参照して説明する。なお、以下の説明においては、第１図の左側を先端側とし、この方向を基準にして先（前）後および左右といった方向を示す用語を使用するものとする。
第１図は実施の形態の変歪矯正装置Ａを示す組立斜視図である。図において符号１０はバーである。バー１０は、底板部１１と、この底板部１１の両側から直交するように立ち上がる側板部１２と、底板部の先端縁から直交するように立ち上がる回止め板部１３とからなっている。
側板部１２の両端部には、矩形状に貫通して穿設された凹部１４が形成されている。各凹部１４の底板部１１からの距離は一定とされている。なお、この凹部１４は円形であっても差し支えない。また、回止め板部１３の中央部には、矩形状に貫通して穿設された回止め凹部１５が形成されている。回止め板部１３と底板部１１との境界には、プレス成形で肉厚を薄くした折目線１６が形成され、回止め板部１３を折目線１６に沿って容易に折り曲げられるようになっている。
図において符号２０は調整バーである。調整バー２０は、断面円形の鋼鉄製の棒であり、その先端部には、後端部よりも大径な一対の大径部２１が形成され、これら大径部２１の間が周縁溝２２とされている。調整バー２０の先端面には、断面が矩形状の回止め凸部２３が形成されている。この回止め凸部２３は、所定の隙間をもって回止め凹部１５に嵌合する。また、調整ネジ２０の後端部の外周には、ネジ２４が形成されている。そして、このネジ２４には、調整ナット３０が螺合している。
調整ナット３０の先端部には、調整ロッド２０のネジ２４と螺合する雌ネジ３１が形成されている。また、調整ナット３０の後端部には、断面が例えば六角形状のレンチ穴３３が形成されている。調整ナット３０の軸方向中間部（雌ネジ３１とレンチ穴３３の中間部）には、他の部分よりも小径な周縁溝３２が形成されている。
調整バー２０および調整ナット３０の周縁溝２２，３２には、第１支持具４０および第２支持具５０がそれぞれ係合させられている。第１支持具４０は、略Ｕ字状をなしており、その両側面には、側方へ突出する凸部４１が形成されている。この凸部４１は、バー１０の側板部１２に形成された凹部１４と嵌合する。また、第１支持具４０の内周面４２はＵ字状に形成されており、その相対向する内面どうしの間隔は調整ロッド２０の周縁溝２２の直径よりも僅かに大きく、また、円弧状をなす内面の曲率半径は、周縁溝２２の外径（半径）よりも僅かに大きく設定されている。なお、第２支持具５０も第１支持具４０と同形同大に形成され、凸部５１および内周面５２を備えている。以上の構成からなる第１、第２支持具４０，５０は、その凸部４１，５１が凹部１４に嵌合させられ、そこで溶接によって固定されている。
第１図において符号６０は押圧子であり、押圧子６０は、調整ナット３０を締める方向へ回転させて調整ロッド２０を収縮させたときに、バー１０の底板部１１を押圧して反り返りを効果的に生じさせる。また、符号７０はブロックであり、ブロック７０は、バー１０が反り返るときに側板部１２が変形するのを防止する。第４図Ａは実施形態の変歪矯正装置Ａを示す側面図、第４図Ｂはその底面図である。
次に、第２図および第３図は、上記構成の変歪矯正装置Ａおよびそれが装着されるギターを示す図である。図において符号８０はボディ、８１はネック部である。ネック部８１の表面中央部には、ネック部８１の基部８２からヘッド８３まで延在する溝８４が形成されている。そして、変歪矯正装置Ａは、その調整ナット３０をヘッド８３に臨ませるとともに底板部１１をネック部８１の表面側へ向けた状態で溝８４に収容され、ネック部８１の表面に指板８５が接着されることで装着されている。なお、第２図において符号８６は弦である。
Ｂ．実施形態の作用
次に、上記構成の変歪矯正装置の作用を説明する。まず、弦８６の張力によってネック部８１が凹状に変歪する下反りが生じた場合の矯正手順について説明する。上記ギターのネック部８１の詳細を示す第３図から判るように、溝８４のヘッド８３の部分には調整ナット３０が突出しており、そのレンチ穴３３にレンチを差し込んで調整ナット３０を締める方向へ回転させる。これにより、調整ナット３０は、調整ロッド２０のネジ２４に沿ってネック部８１の基部８２側へ相対的に移動する。これにより、第１、第２支持具４０，５０間の調整ロッド２０に沿う長さがバー１０に沿う長さよりも短くなるから、変歪矯正装置Ａは、第５図Ａに示すように、バー１０とともに上方へ向けて凸となるように反り返る。その際に押圧子６０がバー１０の底板部１１を押圧するので、バー１０の反り返りが確実に行われる。そして、ネック部８１の溝８４と指板８５とで拘束されている変歪矯正装置Ａが上方へ向けて凸状に反り返るので、下反りが生じていたネック部８１が矯正される。
次に、ネック部８１が凸状に変歪する上反りが生じた場合には、調整ナット３０を上記とは逆に緩める方向へ回転させる。これにより、調整ナット３０は、調整ロッド２０のネジ２４に沿ってヘッド８３側へ相対的に移動する。これにより、第１、第２支持具４０，５０間の調整ロッド２０に沿う長さがバー１０に沿う長さよりも長くなるから、変歪形成装置Ａは、第５図Ｂに示すように、バー１０とともに下方へ向けて凹となるように反り返る。そして、変歪矯正装置Ａが凹状に反り返るので、上反りが生じていたネック部８１が矯正される。
上記構成の変歪矯正装置Ａにあっては、調整ナット３０を回転させることで第１、第２支持具４０，５０どうしの距離が変更され、これにより側板部１２が長手方向に向かって伸長または収縮する。これにより、底板部１１の両端部に曲げモーメントが作用し、この曲げモーメントによって底板部１１が反り返る。この場合において、底板部１１の両端部に生じる曲げモーメントの作用点は、いずれも第１、第２支持具４０，５０の調整ロッド２０および調整ナット３０に対する支持部分であるから、２つの曲げモーメントの大きさはほぼ等しくなる。したがって、底板部１１にほぼ均一な曲率を与えることができ、変歪の矯正を正確に行うことができる。
特に、上記実施形態では、側板部１２に形成した凹部１４に、第１、第２支持具４０，５０の凸部４１，５１を嵌合させているから、軸方向の応力によって第１、第２支持具４０，５０が側板部１２から離脱するようなことがない。さらに、凹部１４と凸部４１，５１とを溶接しているので、軸方向への圧縮応力が作用したときに側板部１２どうしの拡開が抑制される。
また、上記実施形態では、第１支持具４０が調整ロッド２０周縁溝２２に軸方向で係合し、第２支持具５０が調整ナット３０の周縁溝３２に軸方向で係合しているから、調整ロッド２０および調整ナット３０を第１、第２支持具４０，５０に強固に支持することができる。また、調整ロッド２０の両端部に設けた凹部１４の底板部１１からの距離を互いに等しくしているので、調整ロッド２０の両端部に作用する曲げモーメントを等しくすることができ、バー１０の曲率を一層均一にすることができる。
さらに、上記実施形態では、調整ロッド２０の先端面に断面非円形の回止め凸部２３を備え、底板部の先端縁に回止め凹部１５を備えた回止め板部１３を備えているから、回止め板部１３を折り曲げるだけで調整ロッド２０の回止めを構成することができ、その製造を低廉かつ容易に行うことができる。また、回止め板部１３の折曲げ加工と同時に側板部１２の折曲げ加工を行うことができるので、製造がさらに低廉かつ容易となる。
加えて、上記実施形態では、調整ロッド２０の回止め凸部２３および周縁溝２２と、回止め凹部１５および第１支持具４０の内周面との間に隙間を設けているから、調整ロッド２０が軸方向と直交する方向へ移動可能である。これにより、調整ナット３０を回転させて調整ロッド２０に応力を与えたときに両者の中心が自然に調芯され、調整ロッド２０に意図しない応力が生じるのを防止することができる。したがって、バーの曲率をさらに均一にすることができる。
なお、上記実施形態では、回止め板部１３を底板部１１に対して折り曲げるように構成したが、両者を別々に製造して溶接等の手段で固定することもできる。また、調整ロッド２０の周縁溝２２に互いに平行な平坦面を形成し、それら平坦面を第１支持具４０の内周面４２で挟むことで回止めとすることもできる。その場合の調整ロッド２０の上下方向の位置決めは、大径部２１の直径を選定したり大径部の下面を切削することで行うことができる。また、調整ナット３０をヘッド８３側に配置しているが、上記実施形態とは逆に調整ナット３０をネック部８１の基部８２側に配置し、ボディ８０に形成されたサウンドホール８７からレンチを挿入して調整ナット３０を回転させるように構成することもできる。
【図面の簡単な説明】
第１図は本発明の実施形態の変歪矯正装置を示す組立斜視図である。
第２図は実施形態の変歪矯正装置が装着されるギターを示す斜視図である。
第３図はギターのネック部を示す側断面図である。
第４図において（Ａ）は実施形態の変歪矯正装置を示す側面図、（Ｂ）はその底面図である。
第５図において（Ａ）はネック部が凹状に変歪したときに変歪を矯正した状態の変歪矯正装置を示す側断面図であり、（Ｂ）は、ネック部が凸状に変歪したときに変歪を矯正した状態の変歪矯正装置を示す側断面図である。
【図１】
2002093545.tif 000003
【図２】
2002093545.tif 000004
【図３】
2002093545.tif 000005
【図４】
2002093545.tif 000006
【図５】
2002093545.tif 000007
【国際調査報告】
2002093545.tif 000008
2002093545.tif 000009